(57)【要約】【課題】移動体通信システムにおいて、通信速度設定時に少ないメッセージ量で通信速度の設定を可能にする。【解決手段】無線基地局１０２、無線移動局１０１及び無線制御装置１０３は、通信相手との通信速度を規定する通信速度規定値（速度規定値ａ，ｂ，ｃ）を番号（Ｎｏ１，２，３）と対応づけて通信速度規定値記憶部１２３，１１１，１３１に予め記憶しておく。通信速度を設定する際には、無線基地局１０２の基地局制御部１２１より、通信処理部１２２、無線移動局１０１及び無線制御装置１０３に番号を通知し、この番号に対応する通信速度規定値により通信速度の設定を行う。そして、通信速度の設定が完了すると、装置間で通信相手との通信のリンクを確立し通信を開始する。【選択図】　図１
2004120379.tif 000002
【特許請求の範囲】
【請求項１】
無線移動局及び上位の無線制御装置と通信を行う移動体通信システムにおける無線基地局であって、
通信相手との通信速度を規定する通信速度規定値を番号と対応づけて記憶する通信速度規定値記憶手段と、
前記番号により前記通信速度規定値を管理して前記通信相手との通信速度の設定を行う通信速度設定手段と、
を備えたことを特徴とする移動体通信システムにおける無線基地局。
【請求項２】
前記無線移動局との通信を行う通信処理手段を備え、
前記通信速度設定手段は、前記無線移動局に前記番号を通知して対応する通信速度規定値により通信速度の設定を行い、
前記通信処理手段は、前記通信速度の設定が完了した場合に、前記無線移動局との通信のリンクを確立し通信を開始することを特徴とする請求項１に記載の移動体通信システムにおける無線基地局。
【請求項３】
前記無線制御装置との通信を行う通信処理手段を備え、
前記通信速度設定手段は、前記無線制御装置に前記番号を通知して対応する通信速度規定値により通信速度の設定を行い、
前記通信処理手段は、前記通信速度の設定が完了した場合に、前記無線制御装置との通信のリンクを確立し通信を開始することを特徴とする請求項１に記載の移動体通信システムにおける無線基地局。
【請求項４】
前記通信速度設定手段は、前記通信処理手段に前記番号を通知し、前記通信処理手段は、前記通知された番号に対応する通信速度規定値の通信速度によって通信を開始することを特徴とする請求項２または３に記載の移動体通信システムにおける無線基地局。
【請求項５】
無線移動局及び上位の無線制御装置と通信を行う移動体通信システムにおける無線基地局の通信速度設定方法であって、
通信相手との通信速度を規定する通信速度規定値を番号と対応づけて記憶するステップと、
前記通信相手となる前記無線移動局または前記無線制御装置に前記番号を通知して対応する通信速度規定値により前記通信相手との通信速度の設定を行うステップと、
前記通信速度の設定が完了した場合に、前記通信相手との通信のリンクを確立し通信を開始するステップと、
を有することを特徴とする通信速度設定方法。
【請求項６】
請求項５に記載の通信速度設定方法のステップをコンピュータにより実行させるためのプログラムとして記録したコンピュータにより読み取り可能な記録媒体。
【発明の詳細な説明】
【０００１】
【発明の属する技術分野】
本発明は、無線移動局を用いて無線通信を行う移動体通信システムに関し、特に、無線移動局及び上位の無線制御装置と通信を行う移動体通信システムにおける無線基地局、及びこの無線基地局における通信速度設定方法に関する。
【０００２】
【従来の技術】
移動体通信システムにおいて、無線基地局と無線移動局間などの通信速度を変更するための構成として、例えば、通信速度の変更を要求する手段を有し、無線接続時に設定する通信速度を複数の通信速度規定値の中から選択可能にした無線基地局が開示されている（特許文献１参照）。
【０００３】
このような従来の移動体通信システムにおける通信速度設定に関する機能構成を図２に示す。移動体通信システムは、無線移動局５０１と、この無線移動局５０１と通信を行う無線基地局５０２と、この無線基地局５０２と通信を行って制御する無線制御装置５０３とを備えて構成される。この構成において、サービス提供の際に通信速度を設定する場合、無線基地局５０２の基地局制御部５２１は、通信開始時などに通信速度規定値記憶部５２３に予め設定されている通信速度規定値（ここでは、速度規定値ａ，ｂ，ｃ）の中から選択し、その通信速度規定値情報を無線基地局５０２の通信処理部５２２、無線移動局５０１、無線制御装置５０３に伝送して設定を行っていた。そして、設定した通信速度規定値による通信速度で無線移動局５０１及び無線制御装置５０３と通信を行い、音声通話やデータ通信などのサービスを提供するようになっていた。
【０００４】
【特許文献１】
特開２０００−９２０２３号公報
【０００５】
【発明が解決しようとする課題】
上記のような従来の移動体通信システムでは、通信速度設定時に、基地局から無線移動局や無線制御装置などに通信速度規定値情報を伝送して設定するようになっているため、多くの情報量を各部に伝送する必要があり、通信速度設定時のメッセージ量が多く設定効率が悪くなるという問題点があった。
【０００６】
本発明は、上記事情に鑑みてなされたもので、その目的は、通信速度設定時に少ないメッセージ量で通信速度の設定を可能にした移動体通信システムにおける無線基地局及び通信速度設定方法を提供することにある。
【０００７】
【課題を解決するための手段】
本発明に係る移動体通信システムにおける無線基地局は、無線移動局及び上位の無線制御装置と通信を行う移動体通信システムにおける無線基地局であって、通信相手との通信速度を規定する通信速度規定値を番号と対応づけて記憶する通信速度規定値記憶手段と、前記番号により前記通信速度規定値を管理して前記通信相手との通信速度の設定を行う通信速度設定手段と、を備えたことを特徴とする。
【０００８】
上記構成では、通信速度設定時において、通信速度設定手段は通信速度規定値の情報を相互に通信を行う構成要素に対して番号による少ないメッセージ量の情報で送出し、通信速度を設定する。これにより、通信速度設定時に無線基地局より伝送するメッセージ量を少なくして通信速度の設定を行うことが可能となる。
【０００９】
また、前記無線移動局との通信を行う通信処理手段を備え、前記通信速度設定手段は、前記無線移動局に前記番号を通知して対応する通信速度規定値により通信速度の設定を行い、前記通信処理手段は、前記通信速度の設定が完了した場合に、前記無線移動局との通信のリンクを確立し通信を開始することを特徴とする。
【００１０】
上記構成により、無線基地局と無線移動局との間において、少ないメッセージ量で通信速度の設定を行うことが可能であり、所望の通信速度に設定完了した後に装置間でリンクを確立して通信を開始することができる。
【００１１】
また、前記無線制御装置との通信を行う通信処理手段を備え、前記通信速度設定手段は、前記無線制御装置に前記番号を通知して対応する通信速度規定値により通信速度の設定を行い、前記通信処理手段は、前記通信速度の設定が完了した場合に、前記無線制御装置との通信のリンクを確立し通信を開始することを特徴とする。
【００１２】
上記構成により、無線基地局と無線制御装置との間において、少ないメッセージ量で通信速度の設定を行うことが可能であり、所望の通信速度に設定完了した後に装置間でリンクを確立して通信を開始することができる。
【００１３】
また、前記通信速度設定手段は、前記通信処理手段に前記番号を通知し、前記通信処理手段は、前記通知された番号に対応する通信速度規定値の通信速度によって通信を開始することを特徴とする。
【００１４】
上記構成により、通信速度規定値を番号により管理し、通信速度設定時には番号を通知することで対応づけられた通信速度規定値による通信速度の設定が可能であり、通信速度規定値の管理及び設定が容易に行える。
【００１５】
本発明に係る通信速度設定方法は、無線移動局及び上位の無線制御装置と通信を行う移動体通信システムにおける無線基地局の通信速度設定方法であって、通信相手との通信速度を規定する通信速度規定値を番号と対応づけて記憶するステップと、前記通信相手となる前記無線移動局または前記無線制御装置に前記番号を通知して対応する通信速度規定値により前記通信相手との通信速度の設定を行うステップと、前記通信速度の設定が完了した場合に、前記通信相手との通信のリンクを確立し通信を開始するステップと、を有することを特徴とする。
【００１６】
上記手順により、移動体通信システムにおいて、通信速度設定時には無線基地局より少ないメッセージ量で通信速度の設定を行うことが可能であり、所望の通信速度に設定完了した後に装置間でリンクを確立して通信を開始することができる。
【００１７】
また、本発明は、上記の通信速度設定方法のステップをコンピュータにより実行させるためのプログラムとして記録したコンピュータにより読み取り可能な記録媒体を提供する。
【００１８】
上記プログラムを記録した記録媒体により、移動体通信システムにおいて、通信速度設定時には無線基地局より少ないメッセージ量で通信速度の設定を行うことが可能であり、所望の通信速度に設定完了した後に装置間でリンクを確立して通信を開始することができる。
【００１９】
【発明の実施の形態】
以下、図面を参照して本発明の実施形態を説明する。
本実施形態では、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式の移動体通信システムなどに適用可能な無線基地局等を含む無線通信システムの構成を例示する。なお、以下の実施形態の説明では、本発明に係る移動体通信システムにおける無線基地局及び通信速度設定方法について詳述するが、本発明に係るコンピュータにより読み取り可能な記録媒体については、無線基地局における通信速度設定方法を実行させるためのプログラムを記録した記録媒体であることから、その説明は以下の無線基地局における通信速度設定方法の説明に含まれる。
【００２０】
図１は本発明の一実施形態に係る移動体通信システムにおける機能構成を示す構成説明図である。
【００２１】
移動体通信システムは、無線移動局１０１と、この無線移動局１０１と通信を行う無線基地局１０２と、この無線基地局１０２と通信を行って制御する無線制御装置１０３とを備えて構成される。無線基地局１０２は、基地局自身及び通信相手の制御を行う基地局制御部（通信速度設定手段に相当する）１２１と、無線移動局１０１及び無線制御装置１０３と設定された通信速度で通信を行う通信処理部（通信処理手段に相当する）１２２と、予め設定された通信速度規定値を記憶する通信速度規定値記憶部（通信速度規定値記憶手段に相当する）１２３とを備えている。無線移動局１０１及び無線制御装置１０３は、それぞれ予め設定された通信速度規定値を記憶する通信速度規定値記憶部１１１、１３１を備えている。
【００２２】
通信速度規定値記憶部１２３、１１１、１３１は、予め設定された任意の個数の通信速度規定値（ここでは、速度規定値ａ，ｂ，ｃ）と、これらの値にそれぞれ対応する番号（ここでは、Ｎｏ１，２，３）とを含む通信速度規定値情報をそれぞれテーブルとして記憶した記録媒体により構成される。これらの通信速度規定値記憶部１２３、１１１、１３１には、各番号に対応づけられた同一の通信速度規定値がそれぞれ記憶されている。
【００２３】
なお、無線移動局１０１、無線基地局１０２、無線制御装置１０３は、図１では一つずつしか示していないが、移動体通信システムにおいて任意の数だけ設けることができる。無線移動局１０１は、携帯電話機、携帯情報端末などの携帯可能な無線装置が用いられる。
【００２４】
次に、本実施形態の移動体通信システムにおける通信速度設定時の動作を説明する。
【００２５】
無線基地局１０２は、基地局制御部１２１及び通信速度規定値記憶部１２３により、任意の個数（ここでは速度規定値ａ，ｂ，ｃの３つ）の通信速度規定値を番号により管理する。そして、通信開始時などにおける通信速度設定時には、基地局制御部１２１は、自局の通信処理部１２２、及び他局の無線移動局１０１と無線制御装置１０３に対して通信速度規定値情報を送出し、通信速度規定値の設定を行う。このとき、通信速度規定値情報として、設定する目的の通信速度規定値に割りふられた番号を基地局制御部１２１より送信する。例えば、図１に示すように番号のＮｏ１を送信することによって、この番号Ｎｏ１に対応づけられた速度規定値ａを通信速度規定値として設定する。
【００２６】
よって本実施形態では、通信速度設定に際して、無線基地局１０２の基地局制御部１２１からは通信速度規定値自体は他に送出されず、目的の通信速度規定値に対応する番号だけが送出され、自局の通信処理部１２２、及び他局の無線移動局１０１、無線制御装置１０３に伝送される。
【００２７】
通信処理部１２２は、基地局制御部１２１から伝送された番号を受け取り、この番号を基に通信速度規定値記憶部１２３に記憶されたテーブルにおいて対応する通信速度規定値を取り出し、この通信速度規定値によって通信速度を設定する。通信速度の設定が完了すると、通信処理部１２２は、通信相手である無線移動局１０１及び無線制御装置１０３とのリンクを確立し、通信を開始する。
【００２８】
また、無線移動局１０１は、無線基地局１０２の基地局制御部１２１から伝送された番号を受け取り、通信速度規定値記憶部１１１に記憶されたテーブルにおいてこの番号に対応する通信速度規定値を指定された値として取り出し、この通信速度規定値によって通信速度を設定する。同様に、無線制御装置１０３は、無線基地局１０２の基地局制御部１２１から伝送された番号を受け取り、通信速度規定値記憶部１３１に記憶されたテーブルにおいてこの番号に対応する通信速度規定値を指定された値として取り出し、この通信速度規定値によって通信速度を設定する。通信速度の設定が完了すると、無線移動局１０１及び無線制御装置１０３は、通信相手である無線基地局１０２とのリンクを確立し、通信を開始する。
【００２９】
なお、無線移動局１０１と無線基地局１０２との間、無線基地局１０２と無線制御装置１０３との間において、それぞれ独立に通信速度の設定を行うことも可能である。
【００３０】
このように本実施形態では、複数の通信速度規定値を番号により管理し、番号を伝送することで通信速度の設定を行うことにより、少ないメッセージ量で通信速度の設定を行うことが可能となる。これにより、通信速度設定のために伝送する情報量を少なくすることができ、通信速度設定時における装置間の通信量を削減して設定メッセージ送信を効率良く実施することができる。
【００３１】
なお、本発明は上述した実施形態に何ら限定されるものではなく、その要旨を逸脱しない範囲において種々の態様で実施し得るものである。
【００３２】
【発明の効果】
以上説明したように本発明によれば、移動体通信システムにおいて、通信速度設定時に少ないメッセージ量で通信速度の設定を可能にすることができる。
【図面の簡単な説明】
【図１】本発明の一実施形態に係る移動体通信システムにおける通信速度設定に関する機能構成を示す構成説明図
【図２】従来の移動体通信システムにおける通信速度設定に関する機能構成を示す構成説明図
【符号の説明】
１０１　無線移動局
１０２　無線基地局
１０３　無線制御装置
１１１，１２３，１３１　通信速度規定値記憶部
１２１　基地局制御部
１２２　通信処理部
【図１】
2004120379.tif 000003
【図２】
2004120379.tif 000004